(57)【特許請求の範囲】
【請求項１】
コンクリート中に形成されたダクト内にグラウトを注入して充填する際に、前記ダクト内を所定範囲の真空度に保持する真空グラウト注入方法であり、
前記コンクリートの両端位置の前記ダクトの入り口と出口、及び前記ダクトの中央部に、吸気管に接続された排気ホースを接続し、前記ダクトの入り口に接続されたグラウト供給管にグラウト供給用バルブを接続すると共に、前記各排気ホースと前記吸気管との間に排気用バルブを接続しておき、前記グラウト供給用バルブを閉じ、前記排気用バルブを開いた状態で、前記入り口と前記出口及び前記中央部の排気ホースから前記ダクト内の空気を同時に吸引することを特徴とする真空グラウト注入方法。
【請求項２】
前記真空度は、ゲージ圧で−０．０８〜−０．０９２ＭＰａであることを特徴とする請求項１に記載の真空グラウト注入方法。
【請求項３】
前記真空度は、−０．００２ＭＰａの精度で調整されることを特徴とする請求項２に記載の真空グラウト注入方法。
【請求項４】
前記グラウトを注入する前に、前記ダクトの気密性を確認することを特徴とする請求項１乃至３のいずれかに記載の真空グラウト注入方法。
【請求項５】
前記ダクト内の真空度の低減速度に基づいて前記ダクトの気密性の良否を判断することを特徴とする請求項４に記載の真空グラウト注入方法。
【請求項６】
前記ダクト内の真空度が最適な真空度の上限値に到達した後、真空ポンプを常に運転状態としながら、前記ダクト端部のバルブを閉め、その後、グラウト注入作業を続けている中で、前記ダクト内の圧力が設定の下限値に近付いたときに、前記バルブを開き、再び真空度を目標値まで上げる操作を繰り返して前記ダクト内の真空度を維持することを特徴とする請求項１乃至５のいずれかに記載の真空グラウト注入方法。
【請求項７】
前記ダクト内に空気が流れ込むときに発生する音により、前記ダクトのリーク箇所を特定することを特徴とする請求項１乃至６のいずれかに記載の真空グラウト注入方法。
【請求項８】
２台以上の真空ポンプを結合してポンプユニットとし、
このポンプユニットにより、前記ダクト内の真空度を所定範囲に保持することを特徴とする請求項１乃至７のいずれかに記載の真空グラウト注入方法。
【請求項９】
前記真空ポンプは、油水分離機が付帯された油回転真空ポンプまたはドライ真空ポンプであることを特徴とする請求項８に記載の真空グラウト注入方法。
【請求項１０】
コンクリート中に形成されたダクト内にグラウトを注入して充填する際に、前記ダクト内を所定範囲の真空度に保持する真空グラウト注入装置であり、
前記コンクリートの両端位置の前記ダクトの入り口と出口、及び前記ダクトの中央部に、吸気管に接続された排気ホースが接続され、前記ダクトの入り口に接続されたグラウト供給管にグラウト供給用バルブが接続されると共に、前記各排気ホースと前記吸気管との間に排気用バルブが接続されており、前記グラウト供給用バルブが閉じ、前記排気用バルブが開いた状態で、前記入り口と前記出口及び前記中央部の排気ホースから前記ダクト内の空気を同時に吸引することを特徴とする真空グラウト注入装置。
【発明の詳細な説明】
【技術分野】
【０００１】
本発明は、建築物や橋梁などの構造物に使われるプレストレストコンクリートを製造する際に適用される真空グラウト注入方法に関するものである。
【背景技術】
【０００２】
細長いダクト（シース）にグラウト（セメントミルク）のような粘性体を注入して充填するには、ダクトの一方から注入するだけではなく、他方からも真空ポンプで吸引しながら行う方が、注入圧を低減でき、充填性も向上することが容易に想像できる。そのため、近年は、真空ポンプを併用したグラウト注入方法、つまり真空グラウト注入方法が普及しつつある（例えば、特許文献１参照）。
【特許文献１】特開２００４−３５３２４１号公報
【発明の開示】
【発明が解決しようとする課題】
【０００３】
しかしながら、現実には、注入時における注入圧低減効果は見られるものの、注入後の結果としての充填性向上にはそれほどの効果が見られず、逆に充填性が低下する場合も生じていた。これは、真空の度合が充填性向上にどのような影響を与えるか正確に理解することなしに、単に真空度を上げるほど充填性が向上するとの考えに基づいて真空グラウト注入を行っているからである。
【０００４】
本発明は、こうした実状に鑑み、ダクト内のグラウト充填性を保証する真空グラウト注入方法を確立するためには、充填性向上に最適な真空度の範囲（上限および下限）を明確にし、それをグラウトの注入時に維持する必要があるとの考えに立脚し、これによって従来の真空グラウト注入方法における不都合を解消しようとするものである。
【課題を解決するための手段】
【０００５】
まず、請求項１に係る発明は、コンクリート中に形成されたダクト内にグラウトを注入して充填する際に、前記ダクト内を所定範囲の真空度に保持する真空グラウト注入方法において、前記コンクリートの両端位置の前記ダクトの入り口と出口、及び前記ダクトの中央部に、吸気管に接続された排気ホースを接続し、前記ダクトの入り口に接続されたグラウト供給管にグラウト供給用バルブを接続すると共に、前記各排気ホースと前記吸気管との間に排気用バルブを接続しておき、前記グラウト供給用バルブを閉じ、前記排気用バルブを開いた状態で、前記入り口と前記出口及び前記中央部の排気ホースから前記ダクト内の空気を同時に吸引することを特徴とする。
また、請求項２に係る発明は、前記真空度は、ゲージ圧で−０．０８〜−０．０９２ＭＰａであることを特徴とする。
また、請求項３に係る発明は、前記真空度は、−０．００２ＭＰａの精度で調整されることを特徴とする。
また、請求項４に係る発明は、前記グラウトを注入する前に、前記ダクトの気密性を確認することを特徴とする。
また、請求項５に係る発明は、前記ダクト内の真空度の低減速度に基づいて前記ダクトの気密性の良否を判断することを特徴とする。
また、請求項６に係る発明は、前記ダクト内の真空度が最適な真空度の上限値に到達した後、真空ポンプを常に運転状態としながら、前記ダクト端部のバルブを閉め、その後、グラウト注入作業を続けている中で、前記ダクト内の圧力が設定の下限値に近付いたときに、前記バルブを開き、再び真空度を目標値まで上げる操作を繰り返して前記ダクト内の真空度を維持することを特徴とする。
また、請求項７に係る発明は、前記ダクト内に空気が流れ込むときに発生する音により、前記ダクトのリーク箇所を特定することを特徴とする。
また、請求項８に係る発明は、２台以上の真空ポンプを結合してポンプユニットとし、このポンプユニットにより、前記ダクト内の真空度を所定範囲に保持することを特徴とする。
また、請求項９に係る発明は、前記真空ポンプは、油水分離機が付帯された油回転真空ポンプまたはドライ真空ポンプであることを特徴とする。
請求項１０に係る発明は、コンクリート中に形成されたダクト内にグラウトを注入して充填する際に、前記ダクト内を所定範囲の真空度に保持する真空グラウト注入装置において、前記コンクリートの両端位置の前記ダクトの入り口と出口、及び前記ダクトの中央部に、吸気管に接続された排気ホースが接続され、前記ダクトの入り口に接続されたグラウト供給管にグラウト供給用バルブが接続されると共に、前記各排気ホースと前記吸気管との間に排気用バルブが接続されており、前記グラウト供給用バルブが閉じ、前記排気用バルブが開いた状態で、前記入り口と前記出口及び前記中央部の排気ホースから前記ダクト内の空気を同時に吸引することを特徴とする。
【発明の効果】
【０００６】
本発明によれば、ダクト内にグラウトを注入して充填する際に、ダクト内が所定範囲の真空度に保持されることから、１００％に近いグラウト充填性を実現し、ダクト内のグラウト充填性を保証することができる。
【０００７】
また、油回転真空ポンプを用いれば、駆動時の騒音が低く、真空能力にも優れる。そして、この油回転真空ポンプに油水分離機が付帯されていると、空気中に含まれる水分は、油回転真空ポンプに吸引されても、油水分離機によって油分から分離される。そのため、油回転真空ポンプの油交換の頻度を大幅に減らし、経済性を高めると同時に、施工性を改善することができる。
【発明を実施するための最良の形態】
【０００８】
以下、本発明の実施形態について説明する。
【０００９】
ダクト内の真空度がグラウト充填性に及ぼす影響を定量的に求めることは、ダクトの形状、温度など種々の要因が関与するため、極めて困難な問題である。そこで、まず、グラウトのようなセメント系水和物の性状が真空の度合によってどのように変化するのかを把握し、性状に悪影響を与えない範囲で最も高い真空度を求める。真空度が高いほど、グラウトはダクトの狭隘部や、ダクトに挿通されている鋼より線の隙間などに浸入しやすくなり、充填性が向上するので、グラウトの注入においては、ダクト内の真空度の上限をこの値とし、それより僅かに低い真空度との間で行うことができれば、充填性を保証することが可能となる。後は、この最適な真空度を維持できる注入方法を確立し、注入設備を開発すればよい。ただし、ダクトにリークが存在すると、局部的な空気の侵入を招き、ひいてはダクト全長における最適な真空度保持が困難となることから、ダクトのリーク箇所をグラウト注入前に発見して修繕しておく必要がある。
【００１０】
まず、グラウトのようなセメント系水和物の性状が真空の度合によってどのように変化するのかを把握するために、水またはグラウトを用いて基礎試験を実施した。水の蒸気圧は温度５０℃で０．１気圧であり、これを踏まえた基礎試験から、気圧低下とともに水中に気泡が発生していく様子が確認された。また、グラウトの注入試験においても、真空度と気温によってはグラウトの先端が泡立ちながら流れる状況が観察された。さらに、グラウトの先端は、真空度によって飛び散りながら進み、ダクトの下り勾配角度が急なときには先流れを助長することも確認された。以上のことから、真空度の上限は０．１気圧程度とし、補修などで非常に狭い場所への注入の場合でも、真空度の上限は０．０９気圧程度が妥当であると判断された。
【００１１】
次に、ダクトの気密性を確認する。その方法としては、ダクト内の真空度の低減速度に基づいてダクトの気密性の良否を判断する手法が簡便である。例えば、グラウト注入前にダクト内を０．１気圧の真空度とした後に、ダクトを閉じた状態とし、その時点から真空度が０．２気圧に低減するまでの保持時間を計測し、この保持時間の長短によってリークの有無を判断する。基礎実験から、保持時間が２分以下の場合、ダクトにリーク箇所が存在し、充填性を確保できないと判断できた。リーク箇所は、ダクト内の負圧部に大気圧の空気が流れ込むときに発生する音を聞くことにより、容易に探し当てることができる。この音は明瞭で、作業に慣れていない者であっても聞き分けることが可能である。もし、リーク箇所が小さくて特定困難な場合でも、音の聞こえる付近で手を当てて空気の動きを確認したり、石鹸水を塗布したりすれば、リーク箇所を探し当てることができる。
【００１２】
一方、真空度を維持する方法としては、まずダクト内の真空度が最適な真空度の上限値、例えば０．１気圧に到達した後、真空ポンプを常に運転状態としながら、ダクト端部のバルブを閉めてダクトの開路を閉じる。その後、グラウト注入作業を続けている中で、ダクト内の圧力が設定の下限値、例えば０．１５気圧に近付けば、バルブを開き、再び真空度を目標値まで上げる。そして、グラウト注入が終了するまで、こうしたバルブの開閉を繰り返す。バルブの開閉回数は多くはなく、長さ２５ｍの試験ダクト注入中で２回程度であった。このバルブの開閉を負圧メータを見ながら作業者が行うことは容易であるが、負圧メータにバルブを連動させて自動的に実行することも可能である。この場合、人為的エラーの発生を回避することができる。なお、真空ポンプをＯＮ／ＯＦＦすることで真空度を保持する方法も考えられるが、そのときに過電流が流れる恐れがある点で、あまり好ましくない。
【００１３】
また、真空ポンプは、能力と騒音の問題から、水封式真空ポンプではなく、油回転真空ポンプ（望ましくは、油水分離機が付帯された油回転真空ポンプ）を用いることを基本とする。すなわち、油回転真空ポンプだと、水封式真空ポンプと異なり、排水設備が不要であるばかりか、駆動時の騒音が低く、真空能力にも優れる。しかも、この油回転真空ポンプに油水分離機が付帯されていると、水分の影響を避けることができない土木の現場でグラウト注入を行う場合であっても、空気中に含まれる水分や水蒸気などを吸引して油の白濁を促進する恐れはない。
【００１４】
なお、油回転真空ポンプの種類は特に限定されるわけではなく、モータ直結型であってもベルト駆動型であっても構わない。また、油水分離機の種類は特に限定されるわけではなく、油回転真空ポンプと接続して連動するものであればよい。なお、油を用いないドライ真空ポンプを代用しても構わない。
【実施例１】
【００１５】
以下、本発明の実施例を図面に基づいて説明する。
【００１６】
真空グラウト注入設備１は、図１に示すように、ミキサー２を有しており、ミキサー２にはアジテータ３が連結されている。アジテータ３には注入ポンプ４が連結されており、注入ポンプ４にはグラウト供給管７が、コンクリート１６に形成されたダクト８の入り口に連通する形で接続されている。グラウト供給管７の途中（注入ポンプ４とダクト８の入り口との間）にはグラウト供給用バルブ１１が取り付けられている。
【００１７】
また、真空グラウト注入設備１は、図１に示すように、油回転真空ポンプ６を有しており、油回転真空ポンプ６には油水分離機１８が付帯されている。また、油回転真空ポンプ６には吸気管１０を介してデカンタ５が接続されており、吸気管１０には、負圧メータ２２が取り付けられているとともに、バルブ１５が負圧メータ２２と油回転真空ポンプ６との間に取り付けられている。デカンタ５には吸気管１７が接続されており、吸気管１７は３つの枝管１７ａ、１７ｂ、１７ｃに分岐している。
【００１８】
そして、枝管１７ａには、負圧メータ２１が取り付けられているとともに、排気用バルブ１２を介して透明な排気ホース２５が接続されている。排気ホース２５はダクト８の入り口に連通している。また、枝管１７ｂには排気用バルブ１３を介して透明な排気ホース２６が接続されており、排気ホース２６はダクト８の長さ方向のほぼ中央部に連通している。さらに、枝管１７ｃには排気用バルブ１４を介して透明な排気ホース２７が接続されており、排気ホース２７はダクト８の出口に連通している。
【００１９】
真空グラウト注入設備１は以上のような構成を有するので、真空グラウト注入方法により、コンクリート１６にプレストレスを導入してプレストレストコンクリートを製造する際には、次の手順による。
【００２０】
まず、図１に示すように、コンクリート１６のダクト８内に鋼より線９を挿通する。挿通後、鋼より線９をジャッキ（図示せず）によって緊張定着する。
【００２１】
こうしてダクト８内に鋼より線９を挿通して緊張定着したところで、ダクト８の真空引き作業を実施する。
【００２２】
すなわち、グラウト供給用バルブ１１を閉じるとともに、排気用バルブ１２、１３、１４、及びバルブ１５を開いた状態で、油水分離機１８を駆動し、油回転真空ポンプ６を駆動する。すると、ダクト８内の空気は、排気ホース２５、２６、２７および吸気管１７を通って油回転真空ポンプ６に吸引されるため、ダクト８内の気圧は大気圧から減少し始める。このとき、ダクト８内の空気は、ダクト８の入り口、中央部、出口の３箇所から同時に吸引されるので、吸引作業は効率よく行われる。
【００２３】
そして、負圧メータ２１、２２の値（ゲージ圧）が−０．０９ＭＰａ（絶対圧で０．１気圧）に到達したら、バルブ１５を閉じる。このとき、この真空度は、−０．００２ＭＰａの精度で調整される。なお、ダクト８内に水分が含まれている場合には、負圧メータ２１と負圧メータ２２の値に若干の差が生じるが、いずれかの負圧メータ２１、２２の値が目標値に到達したときに、バルブ１５を閉じる。
【００２４】
その後、負圧メータ２１、２２の値の動きを観察し、２分以内に−０．０８ＭＰａ（絶対圧で０．２気圧）まで真空度が低下した場合、ダクト８にリーク箇所が存在すると判断することができる。そして、ダクト８内の負圧部に大気圧の空気が流れ込むときに発生する音に基づき、ダクト８のリーク箇所を特定する。このとき、微小なリークでも特定は容易であり、それぞれのリーク箇所に最適な方法で改善処置（例えば、テープ巻き）を施す。改善処置後は、油回転真空ポンプ６を停止し、排気用バルブ１２、１３、１４、及びバルブ１５を開き、一旦ダクト８内を大気圧に戻す。バルブ１５を閉じてから２分経過しても負圧メータ２１、２２の値が−０．０８ＭＰａに低下しなくなるまで、これらの動作を繰り返し行う。こうした一連の作業は極めて重要であり、ダクト８における局部での空気の流入を防ぎ、ダクト８内の真空度を全長において最適な値に保持することにより、初めて真空グラウト注入における充填性向上が保証されることになる。このことは、同じ形状の試験用ダクトを別に設け、注入を行い、充填性を確認する方法が一部で行われているが、この方法は充填性の目安にはなるが、実際のダクト８の充填性を保証するものではないことをも述べている。
【００２５】
こうしてダクト８の真空引き作業が終了したところで、グラウトの注入作業を実施する。
【００２６】
すなわち、ミキサー２によってグラウトを練り混ぜ、ある程度のグラウトをアジテータ３に溜める。次に、油回転真空ポンプ６を駆動し、ダクト８内をゲージ圧で−０．０９ＭＰａ（絶対圧で０．１気圧）に保持する。この保持は、油回転真空ポンプ６を作動させたまま、負圧メータ２２の値を見ながらバルブ１５を適宜開閉することにより、容易に行うことができる。なお、負圧のデジタルメータ（図示せず）と電動バルブ（図示せず）を組み合わせて自動化することも可能である。
【００２７】
そして、ダクト８内の負圧を確認した後、グラウト供給用バルブ１１を開け、注入ポンプ４を駆動する。すると、アジテータ３からグラウトがグラウト供給管７を通ってダクト８内に注入される。次いで、排気ホース２５、２６と順次グラウトの上昇を視認しながら、排気用バルブ１２、１３を閉じていく。最後に、排気ホース２７でのグラウト上昇を視認した後、排気用バルブ１４を閉め、再加圧（例えば、０．５ＭＰａでの加圧）を行い、注入終了とする。
【００２８】
最後に、注入終了してから３０〜６０分後に、排気ホース２５、２６、２７でのグラウトの上昇状況を再確認する。もし、当初に比べてグラウトが大きく下がっていた場合、先流れなどによってその箇所で未充填が生じている恐れがあるので、その排気用バルブ、例えば排気用バルブ１３を開け、グラウト供給用バルブ１１からグラウトの再注入を行い、排気用バルブ１３からの良質のグラウトの流出を確認した後、排気用バルブ１３を閉める。
【００２９】
このようにすれば、ダクト８の狭隘部や、ダクト８に挿通されている鋼より線９の隙間などにもグラウトが浸入するため、充填性が向上し、１００％に近いグラウト充填性を保証することが可能となる。
【実施例２】
【００３０】
本発明による真空グラウト注入方法を大規模な現場で行う場合、図２に示すように、２台の真空ポンプ３１を配管３２によって結合したポンプユニット３３を使用するのが望ましい。このポンプユニット３３では、２台の真空ポンプ３１で１本のダクトを吸引して、真空引きに要する時間を短縮したり、１台の真空ポンプ３１でグラウトの注入作業を行いながら、もう１台の真空ポンプ３１で次のダクトの真空引き作業を行うなど、作業の効率化を図ることができる。また、仮に１台の真空ポンプ３１が故障しても、他の１台の真空ポンプ３１により、ダクト内のグラウトに不連続箇所を作ることなく注入作業を続けることが可能となる。なお、この場合の真空ポンプ３１としては、長時間運転時の安定性確保と維持管理費の軽減の観点から、油水分離機が付帯された油回転真空ポンプまたはドライ真空ポンプとするのが望ましい。
【実施例３】
【００３１】
なお、上述の実施例１においては、吸気管１７が３つの枝管１７ａ、１７ｂ、１７ｃに分岐している場合について説明したが、ダクト８の全長が短い場合などは、必ずしも吸気管１７を分岐させる必要はない。
【図面の簡単な説明】
【００３２】
【図１】真空グラウト注入設備の実施例１を示す概略構成図である。
【図２】真空グラウト注入設備の実施例２に用いられるポンプユニットである。
【符号の説明】
【００３３】
１……真空グラウト注入設備
２……ミキサー
３……注入ポンプ
６……油回転真空ポンプ
８……ダクト
９……鋼より線
１０、１７……吸気管
１１……グラウト供給用バルブ
１２、１３、１４……排気用バルブ
１６……コンクリート
１８……油水分離機
２５、２６、２７……排気ホース
３１……真空ポンプ
３２……配管
３３……ポンプユニット
【要約】
【課題】真空グラウト注入において、１００％に近いグラウト充填性を実現し、ダクト内のグラウト充填性を保証する。
【解決手段】ダクト８内にグラウトを注入して充填する際に、ダクト８内をゲージ圧で−０．０８〜−０．０９２ＭＰａに保持する。グラウトを注入する前に、ダクト８内に空気が流れ込むときに発生する音により、ダクト８のリーク箇所を特定する。真空ポンプとして、油水分離機１８が付帯された油回転真空ポンプ６またはドライ真空ポンプを用いる。これにより、グラウトの性状に悪影響を与えない範囲で最も高い真空度において、グラウト注入が行われる。また、油回転真空ポンプ６の油交換の頻度が大幅に減り、経済性が高まり、施工性が改善される。
【選択図】図１
【図１】
0003689711.tif 000002
【図２】
0003689711.tif 000003